【手続補正書】
【提出日】平成21年6月11日(2009.6.11)
【手続補正１】
【補正対象書類名】明細書
【補正対象項目名】０００４
【補正方法】変更
【補正の内容】
【０００４】
従来例に係る電気機器によれば、内部配線の傷等が原因となって筐体に漏電事故が生じた場合でも、アース線が真正に接地用の端子に接続されている場合は、配電盤や分電盤等の漏電遮断器が漏れ電流（零相電流）を検知して不良電路を遮断するようになされる。これにより、不本意な感電を防止して安全性を保つことができる。
【手続補正２】
【補正対象書類名】明細書
【補正対象項目名】００３８
【補正方法】変更
【補正の内容】
【００３８】
図２に示す電気機器７００には、例えば、屋外の柱上変圧器８１から電源を供給するようになされる。柱上変圧器８１はその一次側にＵ相及びＶ相用の電源入力端子Ｕ、Ｖが設けられる。Ｕ相及びＶ相用の電源入力端子Ｕ，Ｖには、例えば、６６００Ｖの高圧線が接続される。柱上変圧器８１の二次側には、低圧用の電源出力端子ｕ，Ｎが設けられている。電源出力端子ＮにはＢ種接地工事が施される。Ｂ種接地工事では、線路の一線地絡電流をＩとしたとき、接地抵抗Ｒｂは１５０／Ｉ［Ω］以下になされる。
【手続補正３】
【補正対象書類名】明細書
【補正対象項目名】００４０
【補正方法】変更
【補正の内容】
【００４０】
電源供給ラインＬａ，Ｌｂは電気機器７００の電源端子７８、７９に接続される。アース線Ｌｅの一端はＤ種接地工事が施された接地抵抗Ｒｄ＝１００［Ω］以下の接地電極に接続され、他端はＧＮＤ端子７４に接続される。この場合、柱上変圧器８１の電源出力端子ｕ→電源供給ラインＬａ→電源端子７８→静電容量Ｃａ→接地点Ｐ→導電線Ｌｃ→ＧＮＤ端子７４→アース線Ｌｅ→Ｄ種接地抵抗Ｒｄ→大地８０→Ｂ種接地抵抗Ｒｂ→柱上変圧器８１の電源出力端子Ｎに至る閉回路を漏れ電流ｉｃが流れる。漏れ電流ｉｃはＺＣＴコイル７２によって検出され、検知処理ユニット７３に出力される。
【手続補正４】
【補正対象書類名】明細書
【補正対象項目名】００４５
【補正方法】変更
【補正の内容】
【００４５】
図４は、アース接続監視装置１００による漏れ電流非検出時の状態例（無接地）を示す回路図である。この例では、図２に示した電源供給ラインＬａ，Ｌｂが接続されている場合であって、アース線ＬｅがＧＮＤ端子７４に全く接続されていない場合である。
【手続補正５】
【補正対象書類名】明細書
【補正対象項目名】００５１
【補正方法】変更
【補正の内容】
【００５１】
仮性接地状態では、柱上変圧器８１の電源出力端子ｕ→電源供給ラインＬａ→電源端子７８→静電容量Ｃａ→接地点Ｐ→筐体７０（仮性接地点Ｐ’）→大地８０→Ｂ種接地抵抗Ｒｂ→柱上変圧器８１の電源出力端子Ｎに至る閉回路が構成されるものの、導電線Ｌｃ及びその先端であるＧＮＤ端子７４が電気的に浮遊（開放）している状態である。従って、漏れ電流ｉｃ’が仮性接地点Ｐ’を流れるものの、図２及び３に示したような漏れ電流ｉｃが流れない。この場合も、検知処理ユニット７３では、ＧＮＤ端子７４に大地零電位に維持されるアース線Ｌｅが接続されていないと判別できるようになる。
【手続補正６】
【補正対象書類名】明細書
【補正対象項目名】００７５
【補正方法】変更
【補正の内容】
【００７５】
本体ケース１７には、副吸込口１７ａと、副吸込ダクトジョイント１８ｂとが備えられる。副吸込口１７ａは、排気口１６の形成面以外の本体ケース１７の他の側面に形成される。この副吸込口１７ａに、副吸込ダクトジョイント１８ｂが取り付けられる。
【手続補正７】
【補正対象書類名】明細書
【補正対象項目名】００９０
【補正方法】変更
【補正の内容】
【００９０】
この例で、マイコン７６にはヒータ駆動回路８２が接続され、マイコン７６から出力されるヒータ駆動信号Ｓ８２に基づいてヒータ１０を駆動制御するようになされる。ヒータ駆動回路８２は、マイコン７６でＧＮＤ端子７４にアース線Ｌｅが接続されていないと判別された場合に、ヒータ駆動信号Ｓ８２がヒータ１０への通電を不許可する内容となるので通電をせずにヒータ制御を保留する。
【手続補正８】
【補正対象書類名】明細書
【補正対象項目名】００９４
【補正方法】変更
【補正の内容】
【００９４】
図９は、浴室空調装置３の空調リモコン（主操作部）６の操作面の構成例を示す正面図である。図９に示す空調リモコン６は、入浴ミストモードの運転及び運転停止を選択するための入浴ミストボタン６ｂを有している。入浴ミストボタン６ｂは、上記したミストリモコン７の図示しない入浴ミストボタンに対応したボタンである。このボタン６ｂに対応して、当該モードの選択時に発光制御されるＬＥＤ等の発光素子６ｂ′が設けられている。
【手続補正９】
【補正対象書類名】明細書
【補正対象項目名】０１０４
【補正方法】変更
【補正の内容】
【０１０４】
マイコン６９は、表示部６ｉに表示データＤ７３を出力する。表示部６ｉは、表示データＤ７３に基づいて「浴室空調装置３のＧＮＤ端子７４に該当のアース線Ｌｅが接続されていない」旨を文字情報にて表示し、更に「ＧＮＤ端子にアース線を接続して下さい。」等のメッセージを表示する。表示内容は、後者のみの表示に止めてもよい。
【手続補正１０】
【補正対象書類名】明細書
【補正対象項目名】０１３３
【補正方法】変更
【補正の内容】
【０１３３】
図１２に示す給湯装置４は、電源基板３Ａ’（機器本体）、圧縮機５８、ポンプ６１ｃ，ＺＣＴコイル７２及びＧＮＤ端子７４及び電源端子台３Ｂを有している。電源端子台３Ｂには電源端子７８，７９が設けられる。ＧＮＤ端子７４は、電源端子台３Ｂの所定位置に設けられている。電源基板３Ａ’は、金属板を所定の形状に加工した、図示しない筐体に実装されるものであり、当該電源基板３Ａ’の筐体アース位置には接地点Ｐが設けられる。
【手続補正１１】
【補正対象書類名】明細書
【補正対象項目名】０１３４
【補正方法】変更
【補正の内容】
【０１３４】
電源基板３Ａ’には、コイル用の端子３Ｃ、コンデンサ７１、検知処理ユニット７３の他に変圧器８３、整流平滑回路８４、ポンプ駆動回路８５及び圧縮機駆動回路８６が設けられる。ＺＣＴコイル７２及び検知処理ユニット７３は、本発明に係るアース接続監視装置１００を構成し、電子端子台３ＢのＧＮＤ端子７４に大地零電位に維持されるアース線Ｌｅが接続されているかを監視する。
【手続補正１２】
【補正対象書類名】明細書
【補正対象項目名】０１４８
【補正方法】変更
【補正の内容】
【０１４８】
マイコン６９は、表示部６ｉに表示データＤ７３を出力する。表示部６ｉは、表示データＤ７３に基づいて給湯装置４の「ＧＮＤ端子７４に該当のアース線Ｌｅが接続されていない旨」を文字情報にて表示し、更に「ＧＮＤ端子にアース線を接続して下さい。」等のメッセージを表示する。表示内容は、後者のみの表示に止めてもよい。
【手続補正１３】
【補正対象書類名】明細書
【補正対象項目名】０１５７
【補正方法】変更
【補正の内容】
【０１５７】
図１４に示すミスト発生装置２は、電磁弁ユニット２Ａ、電源部ユニット２Ｂ（機器本体）、ノズルユニット２Ｃ，ＺＣＴコイル７２及びＧＮＤ端子７４及び電源端子台３Ｂを有している。電源端子台３Ｂには電源端子７８，７９が設けられる。ＧＮＤ端子７４は、電源端子台３Ｂの所定位置に設けられている。電源部ユニット２Ｂは、金属板を所定の形状に加工した、図示しない筐体に実装されるものであり、当該電源部ユニット２Ｂの筐体アース位置には接地点Ｐが設けられる。
【手続補正１４】
【補正対象書類名】明細書
【補正対象項目名】０１５８
【補正方法】変更
【補正の内容】
【０１５８】
電源部ユニット２Ｂには、コイル用の端子３Ｃ、コンデンサ７１、検知処理ユニット７３の他にノズルユニット駆動回路８７、電磁弁駆動回路８８、変圧器８３及び整流平滑回路８４が設けられる。ＺＣＴコイル７２及び検知処理ユニット７３は、本発明に係るアース接続監視装置１００を構成し、電子端子台３ＢのＧＮＤ端子７４に大地零電位に維持されるアース線Ｌｅが接続されているかを監視する。
【手続補正１５】
【補正対象書類名】明細書
【補正対象項目名】０１６４
【補正方法】変更
【補正の内容】
【０１６４】
この例で、マイコン７６には電磁弁駆動回路８８が接続され、マイコン７６から出力される電磁弁駆動信号Ｓ８８に基づいて電磁弁ユニット２Ａを駆動制御するようになされる。電磁弁駆動回路８８は、マイコン７６でＧＮＤ端子７４にアース線Ｌｅが接続されていないと判別された場合に、電磁弁駆動信号Ｓ８８が電磁弁ユニット２Ａへの通電を不許可する内容となるので通電をせずに電磁弁制御を保留する。
【手続補正１６】
【補正対象書類名】明細書
【補正対象項目名】０１６７
【補正方法】変更
【補正の内容】
【０１６７】
この実施例では、電源部ユニット２Ｂの接地点ＰとＧＮＤ端子７４とを接続する導電線Ｌｃに流れる漏れ電流ｉｃを検知して、アース線Ｌｅが電子端子台３ＢのＧＮＤ端子７４に接続されているか否か（有無）を判別し、アース線ＬｅがＧＮＤ端子７４に接続されていない場合、アース線Ｌｅが未接続であることを浴室空調装置３の表示部６ｉに表示し、電磁弁ユニット２Ａやノズルユニット２Ｃへの通電動作を保留して動作させないようにする場合を挙げる。
【手続補正１７】
【補正対象書類名】明細書
【補正対象項目名】０１７２
【補正方法】変更
【補正の内容】
【０１７２】
マイコン６９は、表示部６ｉに表示データＤ７３を出力する。表示部６ｉは、表示データＤ７３に基づいて「ミスト発生装置２のＧＮＤ端子７４に該当のアース線Ｌｅが接続されていない旨」を文字情報にて表示し、更に「ＧＮＤ端子にアース線を接続して下さい。」等のメッセージを表示する。表示内容は、後者のみの表示に止めてもよい。
【手続補正１８】
【補正対象書類名】明細書
【補正対象項目名】０１８２
【補正方法】変更
【補正の内容】
【０１８２】
上述した電気機器に関しては、浴室空調装置や、ミスト発生装置、給湯装置等の場合について説明したが、これに限られることはなく、接地用の端子を備えた、ゴミ処理装置、洗濯機、冷蔵庫、ポンプ、用紙処理装置等の全ての電気機器に応用することができる。
【手続補正１９】
【補正対象書類名】図面
【補正対象項目名】図１
【補正方法】変更
【補正の内容】
【図１】
2008096106.tif 000001
【手続補正２０】
【補正対象書類名】図面
【補正対象項目名】図３
【補正方法】変更
【補正の内容】
【図３】
2008096106.tif 000002
【手続補正２１】
【補正対象書類名】図面
【補正対象項目名】図７
【補正方法】変更
【補正の内容】
【図７】
2008096106.tif 000003
【手続補正２２】
【補正対象書類名】図面
【補正対象項目名】図１１
【補正方法】変更
【補正の内容】
【図１１】
2008096106.tif 000004